(57)【特許請求の範囲】
【請求項１】
扉の自由端を構成する縦枠に設けられた開口部の内側に取り付けられ、上記開口部に連続する長孔と上記縦枠内側に対向する係合部が一体成形され長手方向両端部で長手方向に貫通した一対の透孔を有した本体と、上記本体に対向して設けられ上記本体の上記係合部に係止される被係合部を有するロック部材と、上記ロック部材に取り付けられ上記ロック部材を上記本体側に付勢する付勢手段を有し上記一対の透孔のうちの下方の透孔に挿通された細長いスライダと、このスライダに固定され上記一対の透孔のうちの上方の透孔に挿通された長尺部材と、上記スライダに取り付けられた落し棒と、上記本体の上記長孔に挿通された連動部材を介して上記ロック部材に取り付けられ上記本体の反対側面に位置する摘み部材が設けられ、上記摘み部材は、上記本体の上記長孔の側縁部に当接し上記連動部材が軸支されている当接部と、上記摘み部材の一端部に設けられ上記本体の上記長孔を通過し上記ロック部材に対向して突出する突起部と、上記突起部の反対側の端部に設けられた薄肉の操作部が設けられ、上記摘み部材の上記操作部を引き起こして上記摘み部を上記摘み部の上記当接部を支点として回転させ、上記摘み部の上記突起部で上記ロック部材を押圧し上記付勢手段による付勢力に抗して上記ロック部材を上記本体の上記係合部から離間させて上記本体と上記ロック部材の係合を解除することを特徴とする扉用落し錠。
【請求項２】
上記連動部材は、上記スライダと上記ロック部材と上記摘み部材を連結し、上記スライダは上記本体に摺動可能に係止されていることを特徴とする請求項１記載の扉用落し錠。
【請求項３】
上記本体の上記係合部は、金属により上記本体に一体成形され、複数個の同形の突部または複数個の同形の凹部が縦方向に連続して形成されていることを特徴とする請求項１記載の扉用落し錠。
【発明の詳細な説明】
【０００１】
【発明の属する技術分野】
この発明は、ドアや門扉を閉めたときにドアや門扉を地面や床に係止する扉用落とし錠に関する。
【０００２】
【従来の技術】
従来、ドアや門扉を閉めた状態等で、扉を地面や床に係止するための扉用ロック機構として、扉の底部に落とし錠が取り付けられていた。この扉用落とし錠が門扉の立て枠の中に収容されているものとして、実公平７−４３３９４号公報に開示されている落とし錠があった。
【０００３】
この従来の技術の落とし錠は、門扉の自由端部を構成する中空の縦枠の端面に開口が設けられ、上記縦枠内に上記開口に重なる長孔が設けられたボディが固定されていた。上記縦枠内のボディに対向する位置には、縦方向に多数の係止部を配列したガイドプレートが取りつけられていた。また、上記ボディに対して上下に貫通する縦孔が形成され、この縦孔に、上下に長細い板状のブラインドホルドが挿通されていた。ブラインドホルドには角孔が形成され、この角孔にその一部が挿通されたスライダが取りつけられていた。このスライダには横孔が設けられ、上記横孔には突起を有するストッパを嵌挿すると共に、上記ストッパの上記突起が上記ガイドプレートの上記係合部に係入する方向に付勢するバネが設けられていた。また上記ストッパには、回動操作により上記ストッパを付勢方向と反対方向に移動するレバーが軸着されていた。また、上記スライダの下部には、落し棒が取り付けられていた。
【０００４】
この落し錠の使用方法は、まず、上記ストッパは、上記バネによりガイドプレート側に付勢されてガイドプレートの上記係止部に係止され、これにより上記ストッパに取り付けられた上記スライダの落し棒が保持される。落し棒を移動させるときは、上記レバーを回動させ、上記バネの付勢力に抗して上記スライドを上記ガイドプレートから離脱させて移動可能とする。この状態で、レバーを上下に移動させ、レバーと一体の上記スライダの上記落し棒を上下に移動可能となる。
【０００５】
【発明が解決しようとする課題】
上記従来の技術の場合、係止部を備えたガイドプレートと縦枠の開口との間にスライダ等の係止部材やバネが設けられ、さらにその縦枠の開口側にボディが設けられ、部品数が多くこの部分の構造が複雑であるという問題があった。また、落し棒の解除を行う際に、レバーを回動するためにある程度の力が必要で、このレバーを回動させた状態を維持しながら上記ボディの開口に沿ってレバーを上下させなければならず、操作がやりにくかった。
【０００６】
この発明は上記従来の問題点に鑑みてなされたものであり、簡単な構造で、落し棒を移動させる操作も容易な扉用落し錠を提供することを目的とする。
【０００７】
【課題を解決するための手段】
この発明は、扉の自由端を構成する縦枠に設けられた開口部の内側に取り付けられ、上記開口部に連続する長孔と上記縦枠内側に対向する係合部が一体成形され長手方向両端部で長手方向に貫通した一対の透孔を有した本体と、上記本体に対向して設けられ上記本体の上記係合部に係止される被係合部を有するロック部材と、上記ロック部材に取り付けられ上記ロック部材を上記本体側に付勢する付勢手段を有し上記一対の透孔のうちの下方の透孔に挿通された細長いスライダと、このスライダに固定され上記一対の透孔のうちの上方の透孔に挿通された長尺部材と、上記スライダに取り付けられた落し棒と、上記本体の上記長孔に挿通された連動部材を介して上記ロック部材に取り付けられ上記本体の反対側面に位置する摘み部材が設けられている扉用落とし錠である。そして上記摘み部材は、上記本体の上記長孔の側縁部に当接し上記連動部材が軸支されている当接部と、上記摘み部材の一端部に設けられ上記本体の上記長孔を通過し上記ロック部材に対向して突出する突起部と、上記突起部の反対側の端部に設けられた薄肉の操作部が設けられている。
【０００８】
また、上記連動部材は、上記スライダと上記ロック部材と上記摘み部材を連結し、上記スライダは上記本体に摺動可能に係止されている。
【０００９】
また、上記本体の上記係合部は、金属により上記本体と一体に成型され、複数個の同形の突部または複数個の同形の凹部が縦方向に連続して形成されている。
【００１０】
この発明の扉用落し錠は、上記摘み部材の上記操作部を引き起こすと、上記摘み部は上記当接部を支点として回転する。そして、上記摘み部の上記突起部が上記本体の上記長孔に深く差し込まれて上記本体の反対側に位置する上記ロック部材を押圧し上記付勢手段による付勢力に抗して上記ロック部材を上記本体の上記係合部から離間させる。これにより、上記本体と上記ロック部材の係合を解除し、上記ロック部材とこのロック部材に取りつけられたスライダと落し棒は、上記本体に対して上下に移動可能となる。そして、任意の箇所で上記摘み部材を離すと、上記ロック部材は弾性体によって上記本体側に押し付けられ上記本体に係止され、上記落とし棒は上記本体の任意の箇所に保持される。
【００１１】
【発明の実施の形態】
以下、この発明の実施形態について図面に基づいて説明する。図１〜図８は、この発明の一実施形態を示すもので、この実施形態の扉用落し錠１０が取りつけられる揺動自在の門扉１２の自由端を構成する外枠部１４には、対を形成する門扉や壁面端部に対向する側面１４ａに縦長の開口部１６が形成されている。開口部１６の上下には、ねじ用の小さい透孔１８が各々形成されている。
【００１２】
そして門扉用落し錠１０には、外枠部１４の側面１４ａの内側に取りつけられる本体２０が設けられている。本体２０は、外枠部１４の側面１４ａ内側に当接する当接板２２が設けられ、当接板２２の中央には外枠部１４の開口部１６に連通する長孔２４が形成されている。長孔２４の周縁部には、当接板２２の側面２２ａから直角に立ち上がる壁部２６が一周して形成されている。当接板２２の、長孔２４の上下には、門扉１２外枠部１４の一対の透孔１８に連通する雌ねじ２８が形成されている。
【００１３】
そして当接板２２の一方の端部２２ｃ近傍には、壁部２６と反対側の側面２２ｂに、側面２２ｂから直角に立ち上がる保持部３０が形成されている。保持部３０は、当接板２２の長手方向に対して直角に設けられ、保持部３０の中央には保持部３０を貫通しさらに当接板２２の側面２２ａに開口される透孔３２が形成されている。また、当接板２２の他方の端部２２ｄ近傍には、壁部２６と反対側の側面２２ｂに、側面２２ｂから直角に立ち上がる保持部３４が形成され、保持部３４は保持部３０と平行で同じ高さに設けられている。保持部３４の中央には透孔３６が貫通して設けられている。また、当接板２２の側面２２ｂには、保持部３０と保持部３４の間に、矩形の凹状の係合部３８が、当接板２２の長手方向に沿って二列に連続して形成されている。本体２０の係合部３８等は、金属により本体２０と一体に成型されている。
【００１４】
当接板２２の保持部３０と保持部３４の間には、側面２２ｂに当接して、ロック部材４０が設けられている。ロック部材４０は、当接板２２の側面２２ｂに対して平行な形状は、図１２に示すように長細い台形状であり、側面２２ｂに対して直角方向の形状は、図１１に示すように一方の端部４０ａに近づくにつれて厚くなり、端部４０ａは半円形に丸く形成されている。反対側の端部４０ｂ近傍には、当接板２２の側面２２ｂに当接する側面４０ｃに、当接板２２の係合部３８に差し込まれる被係合部４２が二対形成されている。また、ロック部材４０の中心よりも少し端部４０ｂ寄りには、後述するロックプレート５０が適度なゆとりを有して挿通される透孔４４が、ロック部材４０を貫通して形成されている。透孔４４は、ロック部材４０の長手方向に沿って細長く形成され、透孔４４の側面４０ｄに隣接する開口部には円筒状の大径部４６が形成されている。大径部４６の内周面４６ａは、側面４０ｄに近づくにつれて径が徐々に大きくなるテーパに形成されている。ロック部材４０の側面４０ｄには、端部４０ａ寄りに肉盗み４８が形成されている。
【００１５】
ロック部材４０の透孔４４に挿通される連動部材であるロックプレート５０は、薄形で細長い板体であり、長手方向の途中で横幅が一旦広くなり次に再び幅が狭くなる段部３３が形成されている。そして、ロックプレート５０の両端部には、透孔５２が各々形成されている。
【００１６】
ロック部材４０の側面４０ｄ側には、スライダ５４が設けられている。スライダ５４は、後述するロッド８４が挿通される細長い四角筒状体であり、スライダ５４の一端部はロッド８４の一端部が当接するロッド位置決め部５６が形成され閉鎖されている。
【００１７】
ロッド棒位置決め部５６のさらに先端部分には、スライダ５４の一対の側面を直角に貫通しロックプレート５０が挿通される透孔５８が設けられている。透孔５８の、ロック部材４０側の開口部には、ロック部材４０の大径部４６に対向する円筒状の大径部６０が形成されている。大径部６０の、開口部周縁部は、外側に近づくにつれて径が徐々に大きくなるテーパに形成されている。
【００１８】
スライダ５４の、ロック部材４０側の側面の一部には、スライダ５４の側面から側方へ直角に突出するロック部材位置決め部６２が形成されている。ロック部材位置決め部６２は、スライダ５４の長手方向に対して直角に形成された板体であり、ロック部材４０の端部４０ａに当接する位置に形成されている。
【００１９】
そしてスライダ５４の、ロック部材位置決め部６２が形成された側面の反対側側面は、開口部６４が形成されている。また、スライダ５４の、ロッド位置決め部５６が形成された端部の反対側端部は、ロッド８４が挿通される筒状体６６が形成され、筒状体６６の途中に、Ｅリング６８を挿通するガイド溝７０が形成されている。
【００２０】
また、スライダ５４の、ロッド位置決め部５６が形成された端部に連続してカバー部材５５が取りつけられている。カバー部材５５は、断面形状がコの字形に形成された長尺部材であり、カバー部材５５の一端部はスライダ５４のロッド位置決め部５６付近を覆う取付部７２が形成されている。取付部７２の中央には、ロックプレート５０が挿通するスライダ５４の透孔５８に連通する透孔７３が形成されている。透孔７３の、スライダ５４と反対側の開口部には、半円形の溝部７１が形成されている。
【００２１】
そして、ロックプレート５０の反対側の端部には、本体２０の当接板２２の長孔２４を通過して当接板２２の側面２２ａ側に突出し、側面２２ａに当接する摘み部材７４が回転可能に取り付けられている。摘み部材７４は図９，図１０に示すように、操作部である長細い矩形の平坦な上面部７５が設けられ、上面部７５の中央より少し端部寄りに、台形状の当接部７６が突出して設けられている。当接部７６の先端面７６ａは、上面部７５と平行に形成されている。当接部７６の中央付近には、上面部７５の長手方向に対して直角に透孔７８が貫通して形成されている。また、当接部７６の先端面７６ａに連続し透孔７８近傍から端部７５ａに達する傾斜面である当接面７７が形成されている。透孔７８の途中には、ロックプレート５０が挿通されるガイド溝８０が当接面７６ａに開口して形成されている。
【００２２】
摘み部材７４の上面部７５の、一方の端部７５ａには、端部７５ａの中央付近に、上面部７５に対して直角に、当接部７６の突出方向へ突出する突起部８２が形成されている。突起部８２の先端は、当接部７６よりも突出量が多く設けられている。また、摘み部材７４には５個の肉盗み４８が形成され、軽量化されている。
【００２３】
次に、スライダ５４には、ロッド８４が差し込まれて取りつけられ、ロッド８４の他方の端部は連結部材８６を介して落し棒８８が取りつけられている。落し棒８８は、ロッド８４よりも径が大きく、先端は面取りされている。
【００２４】
また、門扉１２の外枠部１４内側には、本体２０の取り付け位置よりも下方に、落し棒８８を摺動可能に保持するガイド部材９０が取りつけられている。ガイド部材９０は、板状体であり上端部と下端部が各々直角に折り曲げられて立上片９２を形成し、立上片９２の中心に透孔９４が各々形成され、透孔９４の内側には緩衝材９６が一周して取りつけられている。ガイド部材９０には一対の雌ねじ９８が形成されている。
【００２５】
次にこの実施形態の扉用落し錠１０の組立方法について説明する。まず、門扉１２の外枠部１４の内側に、外枠部１４の透孔１８と本体２０の雌ねじ２８を一致させ、ねじ２９で固定する。また、外枠部１４の開口部１６の下方に設けられた透孔８９に、ガイド部材９０の雌ねじ９８を一致させ、ねじ２９で固定する。
【００２６】
そして、本体２０の側面２２ｂに、ロック部材４０をロック部材４０の被係合部４２が本体２０の係合部３８に対向するように位置させる。そして、本体２０の保持部３０に形成された透孔３２に、カバー部材５５を挿通し、本体２０の保持部３４に形成された透孔３６に、スライダ５４を挿通する。次に、カバー部材５５の取付部７２に、スライダ５４のロッド位置決め部５６側の端部を差し込み、ロック部材４０の透孔４４とスライダ５４の透孔５８、カバー部材５５の透孔７３を互いに一致させ、ロックプレート５０を挿通する。ロックプレート５０の透孔５２と、カバー部材５５の溝部７１を一致させ、ピン１０２を挿通する。このときロックプレート５０に形成された段部３３はスライダ５４の大径部６０の底部に当接しロックプレート５０は抜けることがなく、スライダ５４とカバー部材５５を一体に固定する。また、ロック部材４０の大径部４６と、スライダ５４の大径部６０で形成された空間には、予めコイルバネ１００を入れ、ピン１０２がコイルバネ１００の中心を貫いて保持される。そしてロック部材４０は、コイルバネ１００により本体２０側に付勢される。
【００２７】
ロックプレート５０の他端部は、本体２０の当接板２２の長孔２４に挿通して側面２２ａ側に突出させ、摘み部材７４を取りつける。このとき、摘み部材７４の突起部８２が本体２０の長孔２４に差し込まれる向きにして摘み部材７４のガイド溝８０にロックプレート５０の先端を差し込み、摘み部材７４の透孔７８とロックプレート５０の透孔５２を一致させ、ピン１０４を挿通して軸止する。
【００２８】
また、スライダ５４にロッド８４の一端部を、ロッド位置決め部５６に当接するまで差し込み、スライダ５４の筒状体６６のガイド溝７０にＥリング６８を差し込みロッド８４を保持する。ロッド８４の先端に、連結部材８６を介して落し棒８８を同軸に取りつける。また、落し棒８８はガイド部材９０の透孔９４に挿通させる。また、門扉１２の外枠部１４の側面１４ａには、開口部１６の周縁部を覆うカバー１０６を取りつける。
【００２９】
このように組み立てられた扉用落し錠１０は、図４に示すように門扉１２の外枠部１４の、敷地側面の、中間よりも少し上寄りの位置に取りつける。また地面や床には、門扉１２を閉鎖した状態で落し棒８８が対向する位置に、落とし受け１０８が埋め込まれて設けられている。
【００３０】
次に、この実施形態の扉用落し錠１０の動作作用について説明する。まず、図５は落し棒８８が落し受け１０８の中に降ろされて門扉１２が係止している状態を示す。そして門扉１２を開けるときは、図６に示すように摘み部材７４の上面部７５を引き上げ、摘み部材７４を摘み部材７４の透孔７８を中心に回転させる。すると摘み部材７４の先端面７６ａは本体２０の側面２２ａから離れ、摘み部材７４の当接面７７が側面２２ａに当接する。このとき突起部８２の先端はロック部材４０の被係合部４２を有する端部４０ｂ付近に当接し、ロック部材４０はコイルバネ１００の付勢力に反して端部４０ｂが本体２０の側面２２ｂから離れ、被係合部４２は係合部３８から外れ係合が解除される。この状態で、摘み部材７４を本体２０の長孔２４に沿って引き上げると、図７に示すようにスライダ５４とカバー部材５５が上昇し、落し棒８８の先端が落とし受け１０８から引き上げられる。そして摘み部材７４をはなすと、図８に示すようにロック部材４０はコイルバネ１００の付勢力により被係合部４２を有する端部４０ｂ付近が本体２０に押し付けられ、被係合部４２は本体２０の係合部３８に嵌合され係合される。これにより、落し棒８８は移動しなくなり、任意の位置に係止され、門扉１２は自由に回動可能となる。
【００３１】
この実施形態の扉用落し錠１０によれば、本体２０と落し棒８８の係合と解除は、摘み部材７４の上面部７５下端を引き起こす簡単な操作で行われ、強い力を必要とせず、容易である。また、本体２０の背面側に係合部３８が一体に形成され、ロック部材４０の被係合部４２との係合が確実であり、構成も簡単なものである。また、落し棒８８の引き上げは、摘み部７４の引き起こしが完了した後に上方に力を入れるだけで引き上げられるため、持ち替えたりする必要がなく操作しやすい。摘み部材７４を引き起こした状態では、摘み部材７４の当接面７７が本体２０の側面２２ａに当接しているため、摘み部材７４の角度が安定し確実に操作することができる。また、落し棒８８を降ろすときは、摘み部７４を引き起こした状態にするだけで容易に下降するため、操作が簡単である。摘み部材７４は使用しないときは本体２０の壁部２６の内側に収容されるため、門扉１２の前を通行する際の妨げにならず、また景観もすっきりしたものとなる。
【００３２】
なお、この発明の扉用落し錠は、上記実施形態に限定されるものではなく、各部材の形状は自由に変更可能である。本体の係合部と、ロック部材の形状は、互いに円滑に係合と解除が行われるものであれば良い。また扉用落し錠の組立工程は、自由に変更可能である。
【００３３】
【発明の効果】
この発明の扉用落し錠は、係合部と被係合部との構成が簡単であり、摘み部材の下端部を引き起こすだけの簡単な操作で落とし棒の係合と解除が行われ、摘み部材を引き起こした状態で摘み部材を移動させて確実に落し棒を上下させることができる。
【図面の簡単な説明】
【図１】  この発明の一実施形態の扉用落し錠の正面図である。
【図２】  この実施形態の扉用落し錠の縦断面図である。
【図３】  この実施形態の扉用落し錠の分解斜視図である。
【図４】  この実施形態の扉用落し錠の使用状態を示す左側面図である。
【図５】  この実施形態の扉用落し錠の落し棒を降ろした状態を示す縦断面図である。
【図６】  この実施形態の扉用落し錠の落し棒を引き起こす操作を示す縦断面図である。
【図７】  この実施形態の扉用落し錠の落し棒を引き上げた状態を示す縦断面図である。
【図８】  この実施形態の扉用落し錠の落し棒を引き上げて係止した状態を示す縦断面図である。
【図９】  この実施形態の扉用落し錠の摘み部材の縦断面図である。
【図１０】  この実施形態の扉用落し錠の摘み部材の背面図である。
【図１１】  この実施形態の扉用落し錠のロック部材の縦断面図である。
【図１２】  この実施形態の扉用落し錠のロック部材の背面図である。
【符号の説明】
１０  扉用落し錠
１２  門扉
２０  本体
２２  当接板
２４  長孔
２６  壁部
３０，３４  保持部
３８  係合部
４０  ロック部材
４２  被係合部
４６，６０  大径部
５０  ロックプレート
５４  スライダ
５５  カバー部材
５６  ロッド位置決め部
６２  ロック部材位置決め部
７４  摘み部材
７５  上面部
８２  突起部
８４  ロッド
８６  連結部材
８８  落し棒
９０  ガイド部材
１００  コイルバネ
【図１】
0004398578.tif 000002
【図２】
0004398578.tif 000003
【図３】
0004398578.tif 000004
【図４】
0004398578.tif 000005
【図５】
0004398578.tif 000006
【図６】
0004398578.tif 000007
【図７】
0004398578.tif 000008
【図８】
0004398578.tif 000009
【図９】
0004398578.tif 000010
【図１０】
0004398578.tif 000011
【図１１】
0004398578.tif 000012
【図１２】
0004398578.tif 000013